(57)【要約】【課題】  人体の体液濃度を一定に保とうとする生理活動に着目し、摂取カロリー制限に加えて、摂取塩分量制限を組合せることで効率的なダイエット計画を実現することを可能とする。  【解決手段】  本発明では、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。【選択図】  図３
2006178586.tif 000002
【特許請求の範囲】
【請求項１】
所定の１日における起床から就寝までに排泄される尿に含まれる塩分排泄量の入力手段と、
メッセージなどのアドバイス情報を表示する表示手段と、
予め前記所定の１日に排泄される尿に含まれる目標塩分量の値を記憶保持しておく目標塩分量記憶手段と、
前記目標塩分量と前記所定の１日に排泄される尿に含まれる塩分排泄量とを比較する比較手段と、
前記目標塩分量と前記所定の１日に排泄される尿に含まれる塩分排泄量の差に応じたメッセージなどのアドバイス情報を記憶しているアドバイス情報記憶手段と、
前記目標塩分量と前記所定の１日に排泄される尿に含まれる塩分排泄量の差に応じてアドバイス情報記憶手段から所定のアドバイス情報を選定し、そのデータを前記表示手段に出力するアドバイス情報制御手段と
を具備することを特徴とする健康管理装置。
【請求項２】
所定の１日における起床から就寝までに排泄される少なくとも１回以上の排泄される尿に含まれる塩分排泄量の入力手段と、
前記塩分排泄量により前日１日当たりの摂取塩分量を推定する摂取塩分量推定手段と、
メッセージなどのアドバイス情報を表示する表示手段と、
予め１日に排泄される尿に含まれる目標塩分量の値を記憶保持しておく目標塩分量記憶手段と、
前記目標塩分量と前記１日に排泄される尿に含まれる塩分排泄量とを比較する比較手段と、
前記目標塩分量と前記１日に排泄される尿に含まれる塩分排泄量の差に応じたメッセージなどのアドバイス情報を記憶しているアドバイス情報記憶手段と、
前記目標塩分量と前記所定時刻に排泄される尿に含まれる塩分排泄量の差に応じてアドバイス情報記憶手段から所定のアドバイス情報を選定し、そのデータを前記表示手段に出力するアドバイス情報制御手段と
を具備することを特徴とする健康管理装置。
【請求項３】
所定の１日における所定時刻に排泄される尿に含まれる塩分排泄量の入力手段と、
この塩分排泄量データを蓄積保持する塩分排泄量データ蓄積手段と、
メッセージなどのアドバイス情報を表示する表示手段と、
予め１日当たりの目標塩分摂取量の値を記憶保持しておく目標塩分摂取量記憶手段と、
前記塩分排泄量データ蓄積手段のデータ蓄積結果により前日１日当たりの摂取塩分量を推定する摂取塩分量推定手段と、
前記１日当たりの目標塩分摂取量と前記摂取塩分量推定手段による摂取塩分量推定結果とを比較する比較手段と、
前記目標塩分摂取量と摂取塩分量推定結果の差に応じたメッセージなどのアドバイス情報を記憶しているアドバイス情報記憶手段と、
前記目標塩分摂取量と摂取塩分量推定結果の差に応じてアドバイス情報記憶手段から所定のアドバイス情報を選定し、そのデータを前記表示手段に出力するアドバイス情報制御手段と
を具備することを特徴とする健康管理装置。
【請求項４】
所定の１日における起床時に排泄される尿に含まれる塩分濃度を測定する塩分濃度測定手段と、
同じ排尿タイミングで同時に測定される排尿量を測定する排尿量測定手段と、
前記塩分濃度測定手段の測定結果と排尿量測定手段の測定結果から１回の排尿に含まれる塩分排泄量を演算する塩分排泄量演算手段と、
経日的な１回当たりの排尿に含まれる塩分排泄量演算結果のデータを蓄積保持する塩分排泄量データ蓄積手段と、
少なくとも使用者の身長、体重、年齢及び性別を含む個人情報を記憶する個人情報記憶手段と、
使用者に結果情報を開示する表示手段と
を有する健康管理装置において、
予め１日当たりの目標塩分摂取量の値を記憶保持しておく目標塩分摂取量記憶手段と、
前記塩分排泄量演算手段による塩分排泄量の演算結果、個人情報記憶手段に記憶されている個人情報、及び前記データ蓄積手段のデータに基づいて前日１日当たりの摂取塩分量を推定する摂取塩分量推定手段と、
前記１日当たりの目標塩分摂取量と前記摂取塩分量推定手段による摂取塩分量推定結果とを比較する比較手段と、
前記目標塩分摂取量と摂取塩分量推定結果の差に応じたメッセージなどのアドバイス情報を記憶しているアドバイス情報記憶手段と、
前記目標塩分摂取量と摂取塩分量推定結果の差の値に応じてアドバイス情報記憶手段から所定のアドバイス情報を選定し、そのデータを前記表示手段に出力するアドバイス情報制御手段と
を具備することを特徴とする健康管理装置。
【請求項５】
所定の１日における起床時に排泄される尿に含まれる塩分濃度を測定する塩分濃度測定手段と、
同じ排尿タイミングで同時に測定される排尿量測定手段と、
前記塩分濃度測定手段の測定結果と排尿量測定手段の測定結果から１回の排尿に含まれる塩分排泄量演算手段と、
入力手段と、
入力手段から入力された前日の睡眠時間に関する生活習慣情報を記憶する生活習慣情報記憶手段と、
前前日と前日の排尿に含まれる塩分排泄量演算結果のデータを蓄積保持する塩分排泄量データ蓄積手段と、
少なくとも使用者の体重を含む個人情報を記憶する個人情報記憶手段と、
使用者に結果を開示する表示手段
とを有する生体情報測定装置において、
生活習慣情報記憶手段の生活習慣情報と前前日と前日と当日の起床後一番尿１回に含まれる塩分排泄量演算結果とによる前日１日当たりの摂取塩分量推定手段と、
前記１日当たりの目標塩分摂取量と前記摂取塩分量推定手段による摂取塩分量推定結果とを比較する比較手段と、
前記目標塩分摂取量と摂取塩分量推定結果の差に応じたメッセージなどのアドバイス情報を記憶しているアドバイス情報記憶手段と、
前記目標塩分摂取量と摂取塩分量推定結果の差の値に応じてアドバイス情報記憶手段から所定のアドバイス情報を選定し、そのデータを前記表示手段に出力するアドバイス情報制御手段と
を具備することを特徴とする健康管理装置。
【請求項６】
使用者の欲する所定期間の減量スケジュール記憶手段と、
実際の体重測定結果を記憶する体重記憶手段と、
前記減量スケジュールの値と体重測定結果の差に応じたメッセージなどのアドバイス情報を記憶しているアドバイス情報記憶手段と、
前記減量スケジュールの値と体重測定結果とを比較する比較手段と、
前記減量スケジュール記憶手段の減量スケジュールの該当日の値と体重記憶手段の体重測定値に乖離があるときに、それらの差の値を演算すると共に、その差の値に応じて前記アドバイス情報記憶手段から所定のアドバイス情報を選定し、１日当たりの摂取塩分量の削減の必要性のデータを前記表示手段に出力するアドバイス情報制御手段と
を具備することを特徴とする請求項１ないし５に記載の健康管理装置。
【請求項７】
前記１日当たりの目標塩分摂取量と前記摂取塩分量推定手段による摂取塩分量推定結果とを比較する比較手段からの出力に基づき、ダイエット目標達成のための摂取塩分量の削減を実現する方法を開示する摂取塩分量削減方法提供手段
を具備してなることを特徴とする請求項１ないし５に記載の健康管理装置。
【請求項８】
摂取塩分量削減方法提供手段は、
摂取塩分量を制限した食事のメニューレシピおよび／または食材のデータを提供する
ことを特徴とする請求項１ないし５に記載の健康管理装置。
【発明の詳細な説明】
【技術分野】
【０００１】
本発明は、塩分摂取量を適度に管理し、血液に含まれる塩分濃度組成を適切に維持しようとする生体生理反応に係り、特にダイエットと称されるような体重削減行動に対して無駄なくその効果を実現することに好適な健康管理装置に関する発明である。 
【背景技術】
【０００２】
従来のダイエットと称されるような体重削減行動は、生体の基礎代謝量と運動代謝量を摂取カロリーより小さくすることで実現するのが基本的な考え方である。
食事を制限することは生活の質を落とす恐れがあることから、対象者が摂取カロリー量を対話式で確認するものがある（例えば、特許文献１参照。）。 
このような場合、摂取カロリーを制限しているのに目標のダイエット効果が得られないことが起因して、ダイエット計画を途中で放棄することがあるという問題があった。
【０００３】
また、体重変化をグラフにつけることで、体重増減の認識と、食欲による快感を体重減少による快感にすり替える方法もある。（例えば、非特許文献１参照。）。
しかし、この場合も一様な体重減少を実現できずに減少時期と停滞時期があり、短期間の体重減少効果は期待しにくいという問題があった。 
【０００４】
また、身体の電解質代謝メカニズムに着目して、摂取塩分量の大小が体液中の電解質濃度を一定に保とうとして体重が変化することを開示した書籍もある。（例えば、非特許文献２参照。）。
しかし、主眼は人間のヒトとしての生理現象を医学的に考察したものであり、一般の、特にダイエットを求めるものに対して具体的な方策を開示するものではなかった。
【特許文献１】特開２００３−２０３１２３号公報
【非特許文献１】ＮＨＫ科学・環境番組部  季刊「ためしてガッテン」編集班  日暮哲也編集「計るだけダイエット」株式会社アスコム、２００４年７月２０日、第７−２７頁
【非特許文献２】黒川  清著「水・電解質と酸塩基併行−step by stepで考える」株式会社南江堂、１９９６年４月２０日−第１４−１９頁
【発明の開示】
【発明が解決しようとする課題】
【０００５】
本発明は、上記問題を解決するためになされたもので、本発明の課題は、人体の体液濃度を一定に保とうとする生理活動に着目し、摂取カロリー制限に加えて、摂取塩分量制限を組合せることで効率的なダイエット計画を実現する方法を示すものである。
【課題を解決するための手段】
【０００６】
所定の１日において、使用者が起床してから就寝するまでに排泄される尿には、摂取された塩分を血液中に吸収し、腎臓でろ過された塩分が排泄される。血液中に含まれる塩分量は、体液濃度を一定に保とうとする生理活動により、常に一定の濃度を保とうとする。つまり塩分摂取量が多かった場合、尿として排泄される水分量を抑えることになる。
なお塩分の排泄タイミングは、分泌されるホルモンの関係で午後、特に１４時頃から１６時頃の排出が多くなっている。
また人間の身体にはダンパ的な特性があり、塩分を摂取してから塩分を排泄するまでに応答遅れがあり、排泄塩分量から摂取塩分量を勘案する場合、その点にも配慮しなければならない。
本発明は人間の身体のもつ生理活動に着目し、起床してから就寝するまでに排泄される尿に含まれる塩分量から摂取塩分量を推定することを基本とし、その使い勝手を向上する目的で１回または複数回の排尿を利用、また所定時刻の排尿を利用、また家庭で最も使い勝手の良い起床時尿を利用、そして健康管理の日々の継続を勘案し継続的な測定値を利用する考え方を示している。
【０００７】
上記目的を達成するために請求項１記載の発明によれば、所定の１日における起床から就寝までに排泄される尿に含まれる塩分排泄量の入力手段と、メッセージなどのアドバイス情報を表示する表示手段と、予め前記所定の１日に排泄される尿に含まれる目標塩分量の値を記憶保持しておく目標塩分量記憶手段と、前記目標塩分量と前記所定の１日に排泄される尿に含まれる塩分排泄量とを比較する比較手段と、前記目標塩分量と前記所定の１日に排泄される尿に含まれる塩分排泄量の差に応じたメッセージなどのアドバイス情報を記憶しているアドバイス情報記憶手段と、前記目標塩分量と前記所定の１日に排泄される尿に含まれる塩分排泄量の差に応じてアドバイス情報記憶手段から所定のアドバイス情報を選定し、そのデータを前記表示手段に出力するアドバイス情報制御手段とを具備することを特徴とするので、
１日に摂食した食事に含まれる塩分摂取量を管理・記録することなく、本健康管理装置に所定の時刻帯に排尿情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。
【０００８】
上記目的を達成するために請求項２記載の発明によれば、所定の１日における起床から就寝までに排泄される少なくとも１回以上の排泄される尿に含まれる塩分排泄量の入力手段と、前記塩分排泄量により前日１日当たりの摂取塩分量を推定する摂取塩分量推定手段と、メッセージなどのアドバイス情報を表示する表示手段と、予め１日に排泄される尿に含まれる目標塩分量の値を記憶保持しておく目標塩分量記憶手段と、前記目標塩分量と前記１日に排泄される尿に含まれる塩分排泄量とを比較する比較手段と、前記目標塩分量と前記１日に排泄される尿に含まれる塩分排泄量の差に応じたメッセージなどのアドバイス情報を記憶しているアドバイス情報記憶手段と、前記目標塩分量と前記所定時刻に排泄される尿に含まれる塩分排泄量の差に応じてアドバイス情報記憶手段から所定のアドバイス情報を選定し、そのデータを前記表示手段に出力するアドバイス情報制御手段とを具備することを特徴とするので、
１日に摂食した食事に含まれる塩分摂取量を管理・記録することなく、本健康管理装置に１日に排泄した塩分量情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。
【０００９】
上記目的を達成するために請求項３記載の発明によれば、所定の１日における所定時刻に排泄される尿に含まれる塩分排泄量の入力手段と、この塩分排泄量データを蓄積保持する塩分排泄量データ蓄積手段と、メッセージなどのアドバイス情報を表示する表示手段と、予め１日当たりの目標塩分摂取量の値を記憶保持しておく目標塩分摂取量記憶手段と、前記塩分排泄量データ蓄積手段のデータ蓄積結果により前日１日当たりの摂取塩分量を推定する摂取塩分量推定手段と、前記１日当たりの目標塩分摂取量と前記摂取塩分量推定手段による摂取塩分量推定結果とを比較する比較手段と、前記目標塩分摂取量と摂取塩分量推定結果の差に応じたメッセージなどのアドバイス情報を記憶しているアドバイス情報記憶手段と、前記目標塩分摂取量と摂取塩分量推定結果の差に応じてアドバイス情報記憶手段から所定のアドバイス情報を選定し、そのデータを前記表示手段に出力するアドバイス情報制御手段とを具備することを特徴とすることにより、
１日に摂食した食事に含まれる塩分摂取量を管理・記録することなく、本健康管理装置に１日に排泄したに排尿情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。
【００１０】
上記目的を達成するために請求項４記載の発明によれば、所定の１日における起床時に排泄される尿に含まれる塩分濃度を測定する塩分濃度測定手段と、同じ排尿タイミングで同時に測定される排尿量を測定する排尿量測定手段と、前記塩分濃度測定手段の測定結果と排尿量測定手段の測定結果から１回の排尿に含まれる塩分排泄量を演算する塩分排泄量演算手段と、経日的な１回当たりの排尿に含まれる塩分排泄量演算結果のデータを蓄積保持する塩分排泄量データ蓄積手段と、少なくとも使用者の身長、体重、年齢及び性別を含む個人情報を記憶する個人情報記憶手段と、使用者に結果情報を開示する表示手段とを有する健康管理装置において、予め１日当たりの目標塩分摂取量の値を記憶保持しておく目標塩分摂取量記憶手段と、前記塩分排泄量演算手段による塩分排泄量の演算結果、個人情報記憶手段に記憶されている個人情報、及び前記データ蓄積手段のデータに基づいて前日１日当たりの摂取塩分量を推定する摂取塩分量推定手段と、前記１日当たりの目標塩分摂取量と前記摂取塩分量推定手段による摂取塩分量推定結果とを比較する比較手段と、前記目標塩分摂取量と摂取塩分量推定結果の差に応じたメッセージなどのアドバイス情報を記憶しているアドバイス情報記憶手段と、前記目標塩分摂取量と摂取塩分量推定結果の差の値に応じてアドバイス情報記憶手段から所定のアドバイス情報を選定し、そのデータを前記表示手段に出力するアドバイス情報制御手段とを具備することを特徴とすることにより、
１日に摂食した食事に含まれる塩分摂取量を管理・記録することなく、本健康管理装置に同一所定のタイミングで経日的に１回に排泄した排尿情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。併せて、尿から得られる情報の回収が自動化されるため測定のための手間が無く、ダイエットの継続を容易にすることを可能とした。
【００１１】
また、請求項５記載の発明のよれば、所定の１日における起床時に排泄される尿に含まれる塩分濃度を測定する塩分濃度測定手段と、同じ排尿タイミングで同時に測定される排尿量測定手段と、前記塩分濃度測定手段の測定結果と排尿量測定手段の測定結果から１回の排尿に含まれる塩分排泄量演算手段と、入力手段と、入力手段から入力された前日の睡眠時間に関する生活習慣情報を記憶する生活習慣情報記憶手段と、前前日と前日の排尿に含まれる塩分排泄量演算結果のデータを蓄積保持する塩分排泄量データ蓄積手段と、少なくとも使用者の体重を含む個人情報を記憶する個人情報記憶手段と、使用者に結果を開示する表示手段とを有する生体情報測定装置において、生活習慣情報記憶手段の生活習慣情報と前前日と前日と当日の起床後一番尿１回に含まれる塩分排泄量演算結果とによる前日１日当たりの摂取塩分量推定手段と、前記１日当たりの目標塩分摂取量と前記摂取塩分量推定手段による摂取塩分量推定結果とを比較する比較手段と、前記目標塩分摂取量と摂取塩分量推定結果の差に応じたメッセージなどのアドバイス情報を記憶しているアドバイス情報記憶手段と、前記目標塩分摂取量と摂取塩分量推定結果の差の値に応じてアドバイス情報記憶手段から所定のアドバイス情報を選定し、そのデータを前記表示手段に出力するアドバイス情報制御手段とを具備することを特徴とすることにより、
１日に摂食した食事に含まれる塩分摂取量を管理・記録することなく、本健康管理装置に同一所定のタイミングで経日的に１回に排泄した排尿情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。また、体液の増減に関する変動部分を取り除くことにより、摂取カロリーの制限と消費カロリーの増加は一様な体重減少効果に結びつくため、ダイエット効果の進捗が継続を阻害する恐れを取り除くことを可能とした。併せて、尿から得られる情報の回収が自動化されるため測定のための手間が無く、ダイエットの継続を容易にすることを可能とした。
【００１２】
また、請求項６記載の発明のよれば、使用者の欲する所定期間の減量スケジュール記憶手段と、実際の体重測定結果を記憶する体重記憶手段と、前記減量スケジュールの値と体重測定結果の差に応じたメッセージなどのアドバイス情報を記憶しているアドバイス情報記憶手段と、前記減量スケジュールの値と体重測定結果とを比較する比較手段と、前記減量スケジュール記憶手段の減量スケジュールの該当日の値と体重記憶手段の体重測定値に乖離があるときに、それらの差の値を演算すると共に、その差の値に応じて前記アドバイス情報記憶手段から所定のアドバイス情報を選定し、１日当たりの摂取塩分量の削減の必要性のデータを前記表示手段に出力するアドバイス情報制御手段とを具備することを特徴とすることにより、
１日に摂食した食事に含まれる塩分摂取量を管理・記録することなく、本健康管理装置に排尿情報を入力するだけで、摂取塩分量が多く生理活動的に体液濃度を一定に保つために水分排出量が減少し、見かけ上、体重が増えた状態になることを対象者に開示し、ダイエットのためには摂取カロリーの制限と消費カロリーの増加だけでなく、摂取塩分量つまり味付けに関する情報も開示することで、摂取カロリーを抑えているのに体重が減らないという現象の発生を防止することを可能とした。
【００１３】
また、請求項７記載の発明のよれば、前記１日当たりの目標塩分摂取量と前記摂取塩分量推定手段による摂取塩分量推定結果とを比較する比較手段からの出力に基づき、ダイエット目標達成のための摂取塩分量の削減を実現する方法を開示する摂取塩分量削減方法提供手段を具備してなることを特徴とすることにより、
調理に関する知識が無ければ実現が難しい摂取塩分量つまり味付けに関する情報を、対象者が実現できる形で開示できるようにすることを可能とした。
【００１４】
また、請求項８記載の発明のよれば、摂取塩分量削減方法提供手段は、摂取塩分量を制限した食事のメニューレシピおよび／または食材のデータを提供することを特徴とすることにより、
調理に関する知識が無ければ実現が難しい摂取塩分量つまり味付けに関する情報を、対象者が実現できる形で開示できるようにすることを可能とした。
【発明の効果】
【００１５】
本発明によれば、ダイエットを計りたいと考える対象者が実施する摂取カロリーの制限と消費カロリーの増加を、最大限の体重減少として得ることができるという効果がある。
【発明を実施するための最良の形態】
【００１６】
本発明の実施の形態に関し、以下に図を用いて詳説する。
【実施例】
【００１７】
図１は本発明の健康管理装置のブロック図である。
使用者は入力手段Ｂ１０１によって、性別・年齢・体重などを個人情報記憶手段Ｂ１０２、日々の睡眠時間などを生活習慣情報記憶手段Ｂ１０３、目標とする塩分量を目標塩分量記憶手段Ｂ１０４を入力する。塩分量データは入力手段Ｂ１０１より直接、摂取もしくは排泄塩分量として塩分量データ蓄積手段Ｂ１０５に入力しても、塩分濃度測定手段Ｂ１０６と排尿量測定手段Ｂ１０７の結果によって得られる塩分排泄量演算手段Ｂ１０８のデータとして塩分量データ蓄積手段Ｂ１０５に入力されてもよい。生活習慣情報記憶手段Ｂ１０３のデータと共に、塩分量推定手段Ｂ１０９に入力される。塩分量推定手段Ｂ１０９の結果は、目標塩分量記憶手段Ｂ１０４の結果と、比較手段Ｂ１１０で対比され差分が演算される。実際の体重測定結果を記憶する体重記憶手段Ｂ１１１と減量スケジュール記憶手段Ｂ１１２も比較手段Ｂ１１０に入力され、その傾向が比較演算される。アドバイス情報記憶手段Ｂ１１３には、比較手段Ｂ１１０の結果によって、アドバイス情報制御手段Ｂ１１４で読み出される、塩分量大小に関する健康情報や、削減に向けたガイド情報が記憶されている。塩分量削減方法提供手段Ｂ１１５は、食事レシピや食材そのものの提供など使用者が選択すべき情報を提供するもので、その結果は表示手段Ｂ１１６で使用者に対して画像や紙面などで開示されるようになっている。
【００１８】
図２および図３を利用して卓上タイプ健康管理装置の実施例を詳説する。入力手段は操作・表示部１０５であり、個人情報入力手段は特に示さない操作スイッチによって同じく入力される。睡眠時間入力部１１０が生活習慣情報記憶手段であり、目標塩分量記憶手段は標準的な値である摂取塩分量７ｇ／日を記憶していることを想定しているが、特に示さない操作スイッチで変更可能であってもよい。塩分濃度測定手段はセンシング手段１０２、排尿量測定手段は受尿容器１０１の重量を測定する電子天秤構造であり、両者の結果による塩分排泄量演算手段は本体１０１に組み込まれることになる。塩分量推定手段は、１日に排泄された全ての尿をセンシングす逐次モードの入力スイッチ１０８、または、推定モードの入力スイッチ１０９により、後述の方法で塩分摂取量を推定している。比較手段、体重記憶手段、減量記憶手段、アドバイス情報記憶手段、アドバイス情報制御手段、および、塩分量制御方法提供手段は本体１０１に内蔵される制御部に組み込まれており、表示手段が表示部１０６に相当している。
【００１９】
図２は本発明を実施した卓上タイプ健康管理装置の実施例を示す斜視図である。
受尿容器１００は本体１０１の上に配置されている。採尿カップで採取された尿は、受尿容器１００の中に入れられる。受尿容器の下方は本体部には電子天秤構造が設けられており、尿の重量から尿量が換算されるようになっている。また底部に設けられたセンシング手段１０２によって、投入された尿１０４中のナトリウム濃度が測定されるようになっている。ナトリウム濃度は、イオン選択膜を有した電極により計測されるようになっている。尿量とナトリウムイオン濃度が測定されることで、投入された尿１０４に含まれる実排泄ナトリウム量が演算されるようになっている。操作・表示部１０５は後述の操作方法で操作される。
【００２０】
図３は本発明を実施した卓上タイプ健康管理装置の操作表示部の実施例を示す平面図である。表示部１０６は液晶パネルであり、測定時以外は日時を表示している。時刻合せ部１０７は切替スイッチと進む・戻る操作によって日時を合わせる部分である。逐次モードは排泄された尿を全て投入するものであり、採尿カップで採取された尿を受尿容器に入れるたびに、入力スイッチ１０８を押して尿量とナトリウム濃度を測定する。推定モードは、起床時（朝一番）尿のみを投入、入力スイッチ１０９を押して尿量とナトリウム濃度を測定する。同時に睡眠時間入力部１１０の進む・戻るスイッチを押すことで推定動作を可能とする。なお本例において、推定モードは睡眠時間を入力し起床時（朝一番）尿を利用する例としたが、塩分排泄量は日中午後が多くなるというホルモン分泌の影響に着目した所定時刻帯の尿を利用した方法などであってもよい。
【００２１】
排泄された尿中に含まれるナトリウム実排泄量を測定し、後述の方法で摂取塩分量を推定し、同じく後述の方法で比較される摂取塩分量比較結果から、ダイエット実現のために必要な情報が表示部１０６から開示されるようになっている。
【００２２】
当然、受尿容器は洗浄が不可避であるし、採尿カップの処理も手間である。図３以降、設備器具であるトイレを利用してダイエット希望者の手間を排除した実施例を説明していく。
【００２３】
図４から図１０を利用して住設器具である便器に健康管理装置を組み込んだ実施例を詳説する。入力手段は尿成分測定部リモコン５２であり、個人情報入力手段は特に示さない操作スイッチによって同じく入力される。が生活習慣情報記憶手段、目標塩分量記憶手段も尿成分測定部リモコン５２から入力される。塩分濃度測定手段は、尿成分測定部４または採尿器６１に組み込まれたセンシング手段であり、排尿量測定手段は溜水１３の変化挙動によってセンシングされている。両者の結果による塩分排泄量演算手段は制御部５に組み込まれることになる。塩分量推定手段は、１日に排泄された全ての尿をセンシングす逐次モード、または、推定モードかは、尿成分測定部リモコン５２を使用して、後述の方法で塩分摂取量を推定している。比較手段、体重記憶手段、減量記憶手段、アドバイス情報記憶手段、アドバイス情報制御手段、および、塩分量制御方法提供手段は制御部５に組み込まれており、表示手段が尿成分測定部リモコン５２とプリンター５３に相当している。
【００２４】
図４は本発明を組み込んだ健康管理装置の実施例を示す斜視図である。
まず、図４乃至図５を参照して本発明の健康管理装置の構成を説明する。
大便器ユニット１は、洋風大便器１１、便座２１と便ふた２２を回動自在に係止した便座装置本体２、尿成分測定部４と制御部５を内蔵する機構ユニットキャビネット３、および、前記洋風大便器１１の上面であるリム面１４に取り付けられる採尿装置６によって構成されている。洋風大便器１１の内側には、使用者の排泄物を受ける溜水１３を貯えるボール面１２が構成されている。採尿装置６の上方は、便座装置本体２と便座２１が当接している。溜水１３はトラップ部１５を介して図示しない下水配管と連通している。ボール面１２の底部には、トラップ部１５に吐水方向を向けているゼット吐水ノズル７が構成されている。ゼット吐水ノズル７からの吐水は、トラップ部１５において負圧を発生させ、その負圧によって生じたサイホン現象によって、溜水１３を使用者の排泄物と共に下水配管に送出するようになっている。
【００２５】
またリム面１４に上方に配置された採尿装置６は、使用者の尿を採取する採尿器６１、ボール面１２内部を回動させる採尿アーム６２、および、駆動動作を行う採尿ユニット６０で構成されている。採尿装置６の内部には、排泄された尿中に含まれる特定成分の定性・定量測定を実施すべく尿成分測定部４に送出したり廃液を溜水１３に戻すための配管部材や、機構部を動作させるための制御配線が内蔵されている。本例において尿成分測定部４は機構ユニットキャビネット３に内蔵されている例を示したが、採尿器６１中で実施しても良い。本発明でターゲットとしている特定成分は、電解質、特にナトリウムイオンによって算出される塩分であるが、尿温度のような項目と共に採尿器６中で測定してもよいし、センサーの構造・方式によってセンシング手段の配置部位は適宜選択されればよい。特定成分濃度が計測できるイオン選択膜を有した電極により計測する方式が例えば選択される。なお採尿装置６の外郭は、排泄物や水との接触を配慮して、抗菌性のある材質を選定したり、撥水性のある処理を実施しておけば清掃性がより向上する。
【００２６】
採尿装置６の外郭は、洋風大便器１１の一部に切り欠きを設けて配置されている。外郭サイズは外形シルエットと略同様の形状であるため、使用者の下肢裏側と干渉せず、採尿機能が組付けられた便器であっても用便行為自体を行う限りにおいて、一般便器との間で使い勝手面の支障が発生することがない。また配管・配膳部材は洋風大便器１１の中空部に配置されているため、外観的なごてごて感が発生しない。合わせて尿成分測定部４がトイレの床面を占有していないため、清掃の度ごとに尿成分測定部４を移動させる必要もない。尿成分測定部４の存在がトイレとしてのスペースが狭めることがなく使い勝手がよいだけでなく、トイレの衛生性としても有効である。
【００２７】
壁には遠隔操作装置５０が設けられている。使用者の局部を衛生洗浄に関する機能は衛生洗浄装置リモコン５１、および、使用者の健康管理のための尿成分測定に関する機能は尿成分測定部リモコン５２で各々操作される。測定結果や生活習慣改善のためのデータ、調理レシピ、および、食材発注帳票などはプリンター５３によって出力され、他の場所で詳細確認に使用することもできる。なお本例では尿成分測定部リモコン５２が保有する大型表示板を使用し、インターネット等を介するデータ送受信を含めた操作がトイレ内で全て実施できる構成で示したが、健康管理装置は排尿情報測定機能に特化し、データ解析・活用に関する部分は家庭内ＬＡＮで接続された居室のパーソナルコンピューターが担うものであってもよい。
【００２８】
本実施例では、使用者が排泄した尿を採尿装置６で採取、採取した検体中の特定成分は尿成分測定部４で濃度測定、および、洋風大便器部１１の中で後述の実施例で尿量測定される。測定された特定成分濃度と尿量を乗じることによって得られた特定成分の実排泄量と、遠隔走査装置５０に入力または他の器具から伝送される体重をはじめとする他の生体情報や就寝・起床時刻などの生活習慣情報によって、制御部５に組み込まれた成分摂取量測定装置３９は同じく後述の実施例の方法で使用者の塩分摂取量を推定すると共に、本発明で主眼としているダイエットに関する使用者または管理者への情報の開示と、改善対応に向けたアクションを遠隔走査装置５０で確認・実施できるようになっている。
【００２９】
図５は、本発明の健康管理装置全体の実施例を示す断面図である。
洋風大便器１１内部の溜水１３は、トラップ部１５で水封された後、排水ソケット１６を介して下水配管Ｄにつながっている。洋風大便器１１の中空部に配置された配管・制御配線は機構ユニットキャビネット３に導かれ、各々、尿成分測定装置４と制御部５につながっている。採尿装置６の上面には便座装置本体２と便座２１が当接している。採尿装置６の内側はボール面１２と接している。便座２１の開口から落下した使用者の排泄物は、ボール面１２内部の溜水１３に落下する。洋風大便器１１と採尿装置６の間には、図示しないゴムパッキンやシール剤などによって排泄物飛沫の侵入を防止すればよい。壁には遠隔操作装置５０が設けられるが、洋風大便器１１の先端位置に合わせて取付けすると操作性が良好である。また採尿装置６の便座当接面は、中央に向けて３°程度の傾斜を設定すれば前述の撥水処理の効果も踏まえ飛沫が便器側に戻りやすく、トイレ床を汚しにくいことになる。
【００３０】
次に、図６乃至図１０を参照して本発明の健康管理装置の大便器を利用した尿量測定手段について説明する。
図６は本発明の健康管理装置の大便器部の断面図である。図６に示すように、本発明の大便器ユニット１は、洋風大便器１１と、大便器ユニット１を作動させる種々の機能部３−１と、を有する。洋風大便器１１は、ボール面１２と、洗浄水を吐水させるリム吐水ノズル８と、ボール面１２を水封するトラップ部１５と、トラップ部１５に向けて洗浄水を噴出するサイホン現象発生手段であるゼット吐水ノズル７と、を有する水道直圧式の洗浄を行う洋風大便器である。さらに、大便器ユニット１は、洋風大便器１１のトラップ部１５に接続された排水ソケット１６と、洋風大便器１１に取り付けられ、市水から供給された洗浄水を切替えて供給する給水バルブである水路切替手段９と、を有する。排水ソケット１６の内部には、後述の機構構成で示すような流路を開閉する開閉手段２８が組み込まれている。
【００３１】
洋風大便器１１と排水ソケット１６は各々別体で構成されているため、施工時は先ず排水ソケット１６を下水配管Ｄと接続する作業を実施してから、次いで洋風大便器１１の組み付けを行えばよいため、本システムを施工するに際して、従来の洋風大便器を施工するのと同じ順序で施工ができるため、工事作業者の誤りの無い施工作業が期待できる。また排水ソケット１６は電動機などのアクチュエーターやシールのためのゴム部材が必要なためメンテナンスが発生することがあるが、洋風大便器１１と切り離して作業が実現できるため、作業時の取り扱いが容易である。
なお、洋風大便器１１と排水ソケット１６を一体構成としておいた場合、別体とした場合に比べて現場での接続部位が少なくなるため漏水事故が発生しにくいという面もある。
【００３２】
また、機能部３−１は、ボール面１２底部の静水圧を測定する水位測定手段である圧力センサ４３を有する。また、機能部３−１は、貯水タンク２４と、貯水タンク２４内の水を圧送して、排尿情報測定に使用される管路を洗浄するポンプ３６と、を有する。さらに、機能部３−１は、水路を切替え又は開閉する、第１開閉弁３０、第２開閉弁３２、第３開閉弁３４、及び第４開閉弁２６を有する。また、機能部３−１は、水路切替手段９、及び各開閉弁を制御する制御部５を有する。この制御部５は、圧力センサ４３による測定値に基づいて、尿量又は尿流率を算出する尿量算出手段４０の情報、前述の採尿装置６で採取した尿検体に含まれる特定成分濃度を測定する尿成分測定部４の情報、および、遠隔走査装置５０に入力または他の器具から伝送される体重をはじめとする他の生体情報や就寝・起床時刻などの生活習慣情報によって、後述の実施例の方法で使用者の塩分摂取量を推定すると共に、本発明で主眼としているダイエットに関する使用者または管理者への情報の開示と、改善対応に向けたアクションを遠隔走査装置５０で確認・実施できるようにする成分摂取量測定装置３９を内蔵している。
【００３３】
トラップ部１５の出口側端部は、排水ソケット１６を介して下水管Ｄに接続されている。  リム吐水ノズル８は、ボール面１２の上部から、リムの接線方向に洗浄水を吐出させ、ボール面１２の壁面を洗浄するように構成されている。ゼット吐水ノズル７は、ボール面１２の底部からトラップ部１５に向けて洗浄水を噴出させ、トラップ部１５内にサイホン現象を誘発するように構成されている。
水路切替手段９は、制御部５の制御信号に従って、市水から供給された洗浄水を、リム吐水ノズル８及びゼット吐水ノズル７から交互に吐水させるように構成されている。
【００３４】
圧力センサ４３は、ゼット吐水ノズル７と連通した導圧管４２によって導かれた、ボール面１２底部の静水圧を測定するように構成されている。図３に示すように、ゼット吐水ノズル７と連通した導圧管４２は、第３開閉弁３４を介して圧力センサ４２に接続されている。さらに、第３開閉弁３４は、制御部５によって、圧力センサ４２による水位測定を行う際には開放され、水位測定を行わない時には閉鎖されるように構成されている。
【００３５】
また、図６に示すように、市水と貯水タンク２４の間には、第４開閉弁２６が設けられている。第４開閉弁２６が連通すると、市水は貯水タンク２４に導かれる。水路切替手段９とリム吐水ノズル８の間には、分岐路２９が設けられている。第１開閉弁３０が閉止した場合、市水は水路切替手段９から直接リム吐水ノズル８に吐水されるようになっている。
【００３６】
図３に示すように、貯水タンク２４は、洗浄用タンク２４ａが、水位設定手段である溜水タンク２４ｂを取り囲む二重構造であり、溜水タンク２４ｂから溢れた水が洗浄用タンク２４ａに流入するようになっている。溜水タンク２４ｂの底部には、流出管２４ｄが接続されており、溜水タンク２４ｂ内の水が、流出管２４ｄに接続された第１開閉弁３０を介してリム吐水ノズル８から吐水されるようになっている。
【００３７】
また、洗浄用タンク２４ａには、給水管２４ｃから溜水タンク２４ｂの中に給水され、溜水タンク２４ｂから溢れ出た水が流入するように構成されている。給水管２４ｃと溜水タンク２４ｂの間には吐水口間隙が確保されているため、溜水１３が逆流しても、市水に連通することがなく、衛生面での問題もない。このため、溜水タンク２４ｂに貯められる水の量は溜水タンク２４ｂの容積によって決まり、溜水タンク２４ｂには一定量の水が貯められることになる。さらに、洗浄用タンク２４ａには、オーバーフロー管２４ｅが接続されている。このオーバーフロー管２４ｅは、トラップ管２５を介して排水ソケット１６に接続されている。これにより、万一、溜水タンク２４ｂへの給水が不具合等によって停止されなくなったとき、洗浄用タンク２４ａの水を排水ソケット１６へ排出し、洗浄用タンク２４ａから水が溢れるのを防止している。オーバーフロー管２４ｅは、トラップ管２５を介して排水ソケット１６接続されているので、下水管内の臭気が、オーバーフロー管２４ｅを通って大気に漏れることがない。
【００３８】
さらに、洗浄用タンク２４ａの底部には、流出管２４ｆが接続されている。この流出管２４ｆは、ポンプ３６、第２開閉弁３２を介して導圧管４２に接続されている。従って、第２開閉弁３２を開放した状態でポンプ３６を作動させると、洗浄用タンク２４ａ内の水が導圧管４２に流入する。
【００３９】
制御部５は、水路切替手段９、及び各開閉弁に制御信号を送って、洋風大便器１１の洗浄機能及び排尿情報測定機能を実行するように構成されている。また、制御部５に内蔵された尿量算出手段４０は、圧力センサ４３によって測定された圧力に基づいて、ボール面１２内の水位を求め、使用者の排尿量を計算するように構成されている。制御部５、及び尿量算出手段４０は、マイクロプロセッサ（図示せず）、及びこれを作動させるためのプログラムを記憶したメモリ（図示せず）等で構成することができる。
【００４０】
次に、図６を参照して、本発明の第１実施形態による大便器ユニット１の作用を説明する。図７は大便器ユニット１の作用を時系列で表すグラフである。
図６に示すように、待機時においては、大便器ユニット１のボール面１２内の溜水１３の水位は、図６にＹで示すスタート水位になっており、また、操作・表示部（図示せず）には「測定可」と表示されている。本実施形態において、このスタート水位Ｙは、溢流水位Ｈの約１８ｍｍ下方、トラップ部１５の封水が破れる破封水位の約５０ｍｍ上方に設定されている。次に、大便器ユニット１の使用者が、操作・表示部（図示せず）の準備スイッチ又は個人認証のためのＩＤカード挿入などの所定の起動手段（図示せず）を操作すると、操作・表示部（図示せず）の表示は「準備中」になる。これと同時に、制御部５は、第２開閉弁３４に制御信号を送る。これにより、導圧管４２と圧力センサ４３が連通される。また、制御部５は、圧力センサ４３に制御信号を送り、これらを作動させる。
【００４１】
また、制御部５は、排水ソケット１６に内蔵される開閉手段２８に制御信号を送り、流路を閉止する。待機時に流路を開放状態として、排尿情報測定を実施しない方が便器にバケツの水を流すようなことがあったとしても、汚水溢れなどが発生することがないよう配慮されている。使用者の測定を開始するという意思表示に従って流路が閉止されることにより、下水配管Ｄ内で発生した他の器具に由来する水の流れで発生する圧力変動が溜水１３の水位に伝達されないようになる。
【００４２】
なお待機時の開閉手段２８の状態は、前述の開放状態とするものに加え、閉止状態としておいても良い。本例のように建築基準法施工令に準じて、溜水高さが充分に確保できるような便器でない場合は、前述開閉手段２８は開放状態である。また、溜水の高さが十分に確保できず、下水配管内で圧力変動が発生しても溜水が切れることが無いように下水配管内の圧力をモニターし、必要に応じて補水するようなシステムを採用して溜水が切れることが無いようにしている場合は、待機時の開閉手段２８は開放することが推奨される。しかし溜水高さが充分に確保できず、下水配管内の臭気や衛生害虫のトイレ内侵入が懸念される場合は、待機時の開閉手段２８は閉止することが推奨される。前述のバケツの水を流すような場合に対しては、圧力センサー４３の出力や、便器近傍に使用者がいることを検知する人体検知センサーなどの出力で開閉手段２８を開放すれば、汚水の溢れを防止することができる。
少なくとも測定中は開閉手段２８は閉止されているため、溜水１３の水位が下水配管内の圧力変動によって変動することはない。
【００４３】
所定時間経過すると、操作・表示部（図示せず）の表示が「測定中」に変化する。表示が「測定中」に変化した後、使用者はボール６に排尿する。使用者が排尿すると、図３に示すように、ボール面１２内の水位は上昇し、排尿後、水位Ｚとなる。制御部５は、圧力センサ４３によって測定される圧力変化がなくなるか、又は使用者が操作・表示部（図示せず）の排尿終了スイッチ（図示せず）を操作すると、使用者の排尿が終了したと判定し、使用者の排尿量の計算を開始する。制御部５に内蔵された尿量算出手段４０は、圧力センサ４３によって測定された圧力に基づいて、使用者の排尿量を計算する。
【００４４】
また、排尿量の計算開始と同時に、制御部５は、圧力センサ４３に制御信号を送り、これをＯＦＦにし、第３開閉弁３４に制御信号を送り、これを閉鎖する。また、制御部５は、排水ソケット１６に内蔵される開閉手段２８に制御信号を送り、流路を開放し、排泄された汚物が下水配管Ｄに排出できるよう準備する。
【００４５】
また、制御部５は、第２開閉弁３２を開放して、ポンプ３６を作動させる。これにより、洗浄用タンク２４ａ内の水は、ポンプ３６、第２開閉弁３２、導圧管４２を通ってゼット吐水ノズル７から吐水され、これらの経路が洗浄される。なお、尿に接したこれらの配管経路の洗浄は、毎回の測定毎に行っても良いし、或いは、所定の測定回数毎、又は所定時間毎に行っても良い。このように洗浄を毎回行わない場合には、１回の測定に要する全体の時間を短縮することができる。
【００４６】
排尿情報測定終了後、使用者が、操作・表示部（図示せず）の便器洗浄スイッチ（図示せず）を操作すると、操作・表示部の表示が「準備中」に変化する。これと同時に、制御部５は、水路切替手段９に制御信号を送って、リム吐水ノズル８から所定時間吐水させ、図３に示すように、ボール面１２内の水位が溢流水位Ｈまで上昇する。次いで、制御部５は、リム吐水ノズル８からの吐水を停止し、ゼット吐水ノズル７から吐水させる。ゼット吐水ノズル７からの吐水により、サイホン現象が発生し、ボール面１２内の溜水はトラップ部１５に吸引され、ボール面１２内の溜水量はほぼゼロの空水位Ｘになる。
【００４７】
所定時間ゼット吐水を行った後、制御部５は、ゼット吐水を停止させる。これと同時に、制御部５は、第１開閉弁３０に制御信号を送ってこれを開放し、溜水タンク２４ｂ内に貯められた所定量の水を、第１開閉弁３０、リム吐水ノズル８を介してボール面１２内に吐水させる。所定時間第１開閉弁３０を開放すると、溜水タンク２４ｂ内の水が全てボール面１２内に流入する。ここで、溜水タンク２４ｂからの給水を行う前のボール面１２内の溜水量はほぼゼロの空水位Ｘであるので、所定量の水が貯められた溜水タンク２４ｂ内の水を全てボール面１２内に流入させた後のボール面１２内の溜水量は常にほぼ一定となり、この時の水位が、所定のスタート水位Ｙになる。従って、溜水タンク２４ｂは水位設定手段として機能する。
【００４８】
溜水タンク２４ｂ内の水が全てボール面１２内に流入すると、制御部５は、第１開閉弁３０を閉鎖させる。同時に、制御部５は、第４開閉弁２６に制御信号を送り、市水を貯水タンク２４に連通させる。これにより市水は、第４開閉弁２６を通って空になっていた溜水タンク２４ｂに流入する。溜水タンク２４ｂに水が流入すると、溜水タンク２４ｂ内の水位が上昇する。溜水タンク２４ｂが満杯になると、水は溜水タンク２４ｂから溢れて洗浄用タンク２４ａに流入する。洗浄用タンク２４ａの水位が上昇し、所定の水位に達すると、制御部５は、第４開閉弁２６からの給水を停止させる。第４開閉弁２６からの給水が停止すると、操作・表示部（図示せず）の表示が「測定可」に変化し、大便器ユニット１は待機状態に復帰する。
【００４９】
また、万一、洗浄用タンク２４ａの水位が所定の水位に達しても給水が停止されなかった場合には、洗浄用タンク２４ａ内の水は、トラップ管２５を介して排水ソケット１６に排水され、水が洗浄用タンク２４ａから溢れることがないようにしている。
【００５０】
図８は、本実施形態の大便器ユニット１を排尿情報測定ではなく、大便の用途で使用する場合の作用を示す。この場合には、使用者が操作・表示部（図示せず）の大便使用スイッチ（図示せず）を押してから、または、準備スイッチや個人認証のためのＩＤカード挿入などの所定の起動手段（図示せず）を操作せずに着座した場合である。尿量を測定するのではなく、大便を排泄する目的であることを認知すると、制御部５は、リム吐水ノズル８からリム給水を行い、ボール面１２内の溜水水位を、溢流水位Ｈまで上昇させる。リム給水は毎分２０Ｌ程度の流量で行われるため、溢流水位Ｈにおいて溜水の全体量が２〜３Ｌの本実施例においては、水位を溢流水位Ｈまで上昇させるために要する時間は約１０秒以内であり、使用者の使い勝手が悪くなることはない。また、水位を溢流水位Ｈまで上昇させることにより、十分な溜水面積を確保することができ、また、ゼット吐水によるサイホン現象を有効に発生させることができる。
【００５１】
次に、図９を参照して、圧力センサ４３による尿量の測定を説明する。
図９は、ボール面１２の水位と、ボール面１２内に溜まっている溜水量の関係の一例を示すグラフである。圧力センサ４３は、ボール面１２の底部に設けられたゼット吐水ノズル７に連通された導圧管４２によって伝達された圧力を測定するように構成されており、圧力センサ４３によって測定される圧力は、ボール面１２の水位に比例する。制御部５に内蔵された尿量算出手段４０は、図６に一例を示す水位と溜水量の関係を予め記憶している。尿量算出手段４０は、使用者が排尿を終えた後の圧力センサ４３の測定圧力から使用者の排尿後の溜水水位Ｚを求める。次に、尿量算出手段４０は、記憶している水位と溜水量の関係に基づいて、溜水水位Ｚにおけるボール面１２内の溜水量を計算する。この排尿後の溜水量から、予め設定され、既知である排尿前のスタート水位Ｙにおける溜水量を差し引くことによって、使用者の尿量が計算される。
【００５２】
また、尿量算出手段４０は、同様にして、使用者の排尿中の水位変化を時々刻々測定することにより、単位時間当たりの排尿量である尿流率を計算する。なお、水位又は圧力測定値と溜水量の関係は、設計値として尿量算出手段４０に予め記憶させておいても良いが、陶器で形成される一般的な大便器においては、製品毎に個体差があるので、施工現場で所定の水量をボール面１２に投入することによって、水位又は圧力測定値と溜水量の関係を尿量算出手段４０に学習させ、記憶させるように構成することもできる。
【００５３】
次に、図１０を参照して、溜水１３水位と下水配管Ｄ内の圧力変動の影響を説明する。排水ソケット１６に内蔵される開閉手段２８を作動させない場合で説明を行う。図９（ａ）は、下水管内の圧力が大気圧と等しい場合のボール６内及びトラップ部８内の水位を示す図であり、（ｂ）は下水管内の圧力が負圧の場合、（ｃ）は正圧の場合の水位を示す図である。図９（ａ）に示すように、下水管内の圧力が大気圧と等しい場合には、ボール面１２内の水位とトラップ部１５内の水位は等しいので、圧力センサ４３の圧力測定値から水位を求めることによって、精度良く尿量を演算することができる。これに対して、図９（ｂ）のように、下水管内の圧力が負圧になると、トラップ部１５内の溜水が下水管の方に吸引されるので、トラップ部１５内の水位は上昇し、ボール面１２内の水位は下降する。逆に、図９（ｃ）のように、下水管内の圧力が正圧になると、トラップ部１５内の溜水が押され、トラップ部１５内の水位が下降し、ボール面１２内の水位が上昇する。これら、図９（ｂ）又は（ｃ）の場合には、圧力センサ４３の圧力測定値からそのまま水位を求め、溜水量を計算すると、溜水量の計算値に誤差を生じることになる。本実施例では、下水配管Ｄ内の圧力変動が溜水１３に伝達されないため、常に図９（ａ）の状態で測定が実施されることになる。
【００５４】
図１１から図１６を利用して塩分量推定手段の動作についてを詳説する。
図１１は、本発明の成分摂取量測定装置の構成を示すためのフロー図である。基本構成は入力部、演算部、出力部の３構成からなる。入力部はヒトが排泄する起床後排尿した時の尿量Ｖwと起床後排尿した時の特定成分濃度Ｃwを入力する。手動で測定値を入力するものに限らない。各々、排尿量測定手段と塩分濃度測定手段をを示すものであり、測定方法例として、前述の卓上タイプで測定されたり、同じく前述の洋風大便器に排泄された排尿量を尿量算出手段で算出した尿量の結果と、採尿装置が採取した検体を尿成分測定部で測定した特定成分濃度の結果が入力される。排尿量測定手段と塩分濃度測定手段により、塩分排泄量が塩分排泄量演算手段で演算される。
【００５５】
次に、就寝前の放尿時刻から起床後尿の放尿時刻までの経過時間ｔwを入力する。これは生活習慣情報記憶手段への入力ということになる。演算部では入力した起床後排尿した時の尿量Ｖwと起床後排尿した時の特定成分濃度Ｃw及び前記経過時間ｔw、就寝時間中の排尿回数がｎ回ある場合のｉ回目の就寝時間中排尿量Ｖiとｉ回目の就寝時間中特定成分濃度Ｃiの情報を元に、以下の演算がなされる。起床後特定成分排出量Ｑwは起床後排尿した時の尿量Ｖwと起床後排尿した時の特定成分濃度Ｃwを乗じて算出され、就寝時間中のｉ回目就寝時間中の特定成分排泄量Ｑiは、ｉ回目就寝時間中の排尿量Ｖiとｉ回目就寝時間中の特定成分濃度Ｃiを乗じて算出される。就寝時間中の排尿回数がｎ回は、特定成分排出量量Ｑiがｎ回分までの全合計で算出される。
【００５６】
数式で記述すると、起床後特定成分排泄量Ｑwは、起床後尿量Ｖwと起床後排尿した時の特定成分濃度Ｃwとすると、「数式１」で表される。
【００５７】
【数１】
2006178586.tif 000003
また、就寝時間中に排尿回数がｎ回ある場合のｉ回目就寝時間中の特定成分排出量Ｑiは、ｉ回目の就寝時間中排尿量Ｖiとｉ回目の就寝時間中特定成分濃度Ｃiとすると、「数式２」で表される。
【００５８】
【数２】
2006178586.tif 000004
【００５９】
加算特定成分排泄量Ｑtは、起床後特定成分排泄量Ｑwと就寝時間中に排尿回数がｎ回ある場合のｉ回目の就寝時間中特定成分排出量Ｑiとすると、「数式３」で表される。
【００６０】
【数３】
2006178586.tif 000005
【００６１】
加算特定成分排泄量Ｑtは、経過時間ｔwと予め設定されている規定時間ｔsとの比に基づいて規定時間当量へ換算した換算特定成分排泄量Ｑsを算出する。規定時間ｔsはヒトの平均的な就寝時間範囲で、６〜１０時間が適当で、好ましくは８時間である。換算特定成分排泄量Ｑsは加算特定成分排泄量Ｑtと就寝前の放尿時刻から起床後尿の放尿時刻までの経過時間ｔw、基準時間ｔsとすると「数式４」で表される。
【００６２】
【数４】
2006178586.tif 000006
【００６３】
換算特定成分排泄量Ｑsは、一日特定成分摂取量Ｑinに所定の相関式で算出される。例えば、一日特定成分摂取量Ｑinは以下の「数式５」で表すことができる。
【００６４】
【数５】
2006178586.tif 000007
但し、Ａ、Ｂは、１≦Ａ≦５、０≦Ｂ≦６の定数である。また、数式５の相関式は、対数や高次関数で表すことも可能である。
【００６５】
出力部は演算部で得られた一日特定成分摂取量Ｑinを表示する。その表示形態は、その回の測定結果だけを表示したり、過去に遡った測定分もあわせて表示したり、さらにはグラフ化して表示するなど通常行なわれる種々の形態をとることが可能である。また、演算に用いられる基礎データである特定成分排泄量Ｑwや加算特定成分排泄量Ｑtなどや使用者の種々の個人情報を併せて表示してもよい。前述の処理全体が、起床時（朝一番）尿を利用した場合の、塩分量推定手段の動作アルゴリズムとなる。また、これらの値は後述のダイエット実現に関する各種情報と共に、表示手段で開示されるものであってもよい。
【００６６】
以上例えば、就寝時刻１１時、起床時刻６時、起床後排尿した時の尿量Ｖwが300mL、起床後排尿した時の特定成分として塩分濃度Ｃwが5,000mg/L、規定時間ｔsが８時間、就寝時間中の排尿回数が１回で、１回目就寝時間中の尿量Ｖ1が200mL、１回目就寝時間中の特定成分として塩分濃度Ｃ1が4,000mg/Lとする。経過時間ｔwは就寝時刻と起床時刻の差であるから７時間である。以上の条件から、加算特定成分排泄量Ｑt（塩分）は数式１から３を用いて、「数式６」で表される。
【００６７】
【数６】
2006178586.tif 000008
【００６８】
次に、換算特定成分排泄量Ｑs（塩分）は「数式７」を用いて算出される。
【００６９】
【数７】
2006178586.tif 000009
【００７０】
一日特定成分摂取量Ｑin（塩分）は「数式５」を用いて算出される。ここで、定数Ａ、Ｂはそれぞれ3.6、2.0とすると、一日特定成分摂取量Ｑin（塩分）は「数式８」で算出することができる
【００７１】
【数８】
2006178586.tif 000010
【００７２】
図１２は、本発明の成分摂取量測定装置の構成を示すためのフロー図である。基本構成は入力部、演算部、出力部の３構成からなる。なおここでは以下の説明の便宜のため、前記演算部のうち後述する推定演算部はその構成に関して複数の例を比較して併記した形としている。
【００７３】
入力部は時間計測部と排泄部計測部からなる。時間計測部は計測の事前準備として、年月日と時刻設定をした後、使用者の生活リズムの入力を、就寝前時間帯設定と就寝時間帯設定及び起床時間帯設定行う。想定時間帯例として、就寝前時間帯が午後９時から午前２時、就寝時間帯が午前２時から午前４時、起床時間帯が午前４時から午前１０時がある。なお、本入力は１人の記載しているが、複数人使用の場合には、各個人別に、就寝前時間帯設定と就寝時間帯設定及び起床時間帯の設定行う。前述の動作は生活習慣情報記憶手段の１実施例ということになる。
【００７４】
排泄物計測部の使用者検知は、個人別スイッチやＲＦＩＤタグによる無線認識及びカード認証等があり、対象者の個人認識をする。前述の動作が入力手段による個人記憶手段との連携であり、以下の測定結果と対比するべく、個人認識情報で性別・年齢・体重などの個人情報が読み出されてもよい。
【００７５】
次に対象者の排尿時刻と排尿量及び特定成分濃度を入力する。例として、排尿時刻は使用者検知と連動した自動としてもよいし、排尿時刻を手入力してもよい。尿量は前述の洋風大便器１１に排泄された排尿量を尿量算出手段４０で算出した結果、特定成分濃度は採尿装置６が採取した検体を尿成分測定部４で測定した結果が入力される。各々、排尿量測定手段と塩分濃度測定手段をを示すものであり、排尿量測定手段と塩分濃度測定手段により、塩分排泄量が塩分排泄量演算手段で演算される。
【００７６】
入力された排尿時間は、就寝前時間帯、就寝時間帯及び起床時間帯とそれ以外の時間帯に分けられる。時間帯例として、就寝前時間帯が午後９時から午前２時、就寝時間帯が午前２時から午前４時、起床時間帯が午前４時から午前１０時とした場合、排尿時刻が午後１１時で排尿量と特定成分濃度が入力された場合には、就寝前時間帯のデータとして記憶される。また、排尿時刻が午前３時で排尿量と特定成分濃度が入力された場合には、就寝時間帯の１つのデータとして記憶される。また、排尿時刻が午前６時で使用者検知後に排尿量と特定成分濃度が入力された場合には、起床時間帯のデータとして記憶される。尚、起床時間帯の場合には、経過時間ｔwが算出される。経過時間ｔwは、就寝時間帯に最後に入力された排尿時刻と起床時間帯の最初に入力された排尿時刻との差で算出される。
【００７７】
演算部は単純演算部と推定演算部からなる。単純演算部は起床後特定成分排泄量Ｑwと就寝時間中特定成分排泄量Ｑiを算出し、それぞれを合算した加算特定成分排泄量Ｑtを算出する。なお、起床後特定成分排泄量Ｑwと就寝時間中特定成分排泄量Ｑiは、それぞれ就寝時間帯と起床時間帯の排尿量と特定成分濃度を乗じて算出される。算出された加算特定成分排泄量Ｑtは、入力部で算出した経過時間ｔwと予め設定されている規定時間ｔsとの比に基づいて規定時間当量へ換算した換算特定成分排泄量Ｑsを算出する。規定時間ｔsはヒトの平均的な就寝時間範囲で、６〜１０時間が適当で、好ましくは８時間である。
【００７８】
推定演算部は換算特定成分排泄量Ｑsから一日特定成分摂取量量Ｑin、又は平均一日特定成分摂取量量Ｑinを算出する。算出は予め求めておいた換算特定成分排泄量Ｑsと一日特定成分摂取量Ｑinとの相関関係により、例えば「数式５」の相関式で直接出来る（演算Ａ）。
【００７９】
また、別の一日特定成分摂取量Ｑin算出方法として、換算特定成分排泄量Ｑsと一日に特定成分を排泄する一日特定成分排泄量Ｑoutとの相関関係により、一日に排泄する一日特定成分排泄量Ｑoutを算出し、一日特定成分排泄量Ｑoutと一日に特定成分を摂取する一日特定成分摂取量Ｑinとの相関関係により、一日特定成分摂取量Ｑinを算出してもよい（演算Ｂ）。
【００８０】
別の一日特定成分摂取量Ｑin算出方法として、換算特定成分排泄量Ｑsを日移動平均した平均した平均換算特定成分排泄量Ｑsと、一日特定成分摂取量を日移動平均した平均一日特定成分摂取量Ｑinとの相関関係から、平均換算特定成分排泄量Ｑsから一日に特定成分を摂取する平均一日特定成分摂取量Ｑinを直接求めてもよい（演算Ｄ）。
【００８１】
また、平均換算特定成分排泄量Ｑsと一日特定成分排泄量Ｑoutを日移動平均した平均一日特定成分排泄量Ｑoutとの相関関係と、平均一日特定成分排泄量Ｑoutと一日特定成分摂取量Ｑinを日移動平均した平均一日特定成分摂取量Ｑinとの相関関係により、平均換算特定成分排泄量Ｑsから平均一日特定成分排泄量Ｑoutを算出し、平均一日特定成分排泄量Ｑoutから一日に摂取する平均一日特定成分摂取量Ｑinを求めてもよい（演算Ｃ）。
【００８２】
ヒトの体は摂取に応じてそのまますぐに排泄への影響とはならず、徐々に対応していく特性があり、日単位の平均化処理でより精度が高まる。前述の処理全体が、起床時（朝一番）尿を利用した場合の、塩分量推定手段の動作アルゴリズムとなる。また、これらの値は後述のダイエット実現に関する各種情報と共に、表示手段で開示されるものであってもよい。
【００８３】
図１３に日移動平均処理について３日間の場合について説明する。ある日の換算特定成分排泄量Ｑsを０日とし、それより遡った２日間を加えた３日間の平均をしたものが、平均換算特定成分排泄量Ｑsである。同様に、０日の換算特定成分排泄量Ｑsに相当する一日特定成分摂取量Ｑinと、それより遡った２日間を加えた３日間の平均をしたものが、０日の平均一日特定成分摂取量Ｑinである。０日の平均換算特定成分排泄量Ｑsと平均一日特定成分摂取量Ｑinとの相関関係により、平均一日特定成分摂取量Ｑinが算出される。
【００８４】
更に、別の一日特定成分摂取量Ｑin算出方法として、一日特定成分摂取量Ｑinが１から２日後の換算特定成分排泄量Ｑsから算出する方法がある。摂取と排泄の間には時間的なズレが生じているのは明らかで、そのズレを考慮すれば一日特定成分摂取量Ｑinは更に高精度となる。更に、ヒトの体は摂取に応じてそのまますぐに排泄への影響とはならず、徐々に対応していく特性から日移動平均と摂取と排泄の間の時間的なズレを組合せした場合が特に好ましい。従って、平均一日特定成分摂取量Ｑinが１から２日後の平均一日特定成分排泄量Ｑsから算出されるのが特に好ましい。
【００８５】
出力部は単純出力部と経過出力部からなる。単純出力部は演算部で算出された一日特定成分摂取量Ｑinや平均一日特定成分摂取量Ｑinを表示する。また、基礎データである起床後特定成分排泄量Ｑwや加算特定成分排泄量Ｑtなど演算で得られる結果を表示してもよい。また、経過出力部は一日特定成分摂取量Ｑinや平均一日特定成分摂取量Ｑinの経日変化表示を１週間から３ヶ月程度、またはそれ以上の期間やその状況について食生活のアドバイスを液晶画面等により表示する。これらの値は後述のダイエット実現に関する各種情報と共に、一日特定成分摂取量量Ｑinや平均一日特定成分摂取量Ｑinの経日的な変化傾向を確認することで、例えば塩分の場合には上昇傾向があるときは食生活が改善していないことを表示し、下降傾向があるときには減塩に関する食生活が改善していることを開示する。これらの情報を使用者に開示するのが表示手段である。
【００８６】
ダイエットに関する情報としては、体液のナトリウムバランスに着目し、後述の方法で塩分摂取量に関する情報を開示することになるが、尿から排泄される電解質によって得られる他の食生活改善方法として、特定成分として、ナトリウムとカリウムとカルシウムがある。いずれも、健康日本２１の摂取量目標値に掲げられている重要成分である。特にナトリウムとカリウムは生活習慣病と言われている高血圧症と密接な関係がある。ここで、ナトリウムは塩化ナトリウムに換算したいわゆる塩分として表記されることが多く、摂取表記として好ましい。
【００８７】
現在、平均的な日本人の塩分とカリウムの摂取量は、各々１３．５ｇ、２．５ｇとされており、健康日本２１の摂取量目標値は塩分が１０ｇ未満、カリウムが３．５ｇ以上であることから、現状は両特定成分とも改善が必要である。例えば摂取量が塩分１５ｇでカリウム５ｇの場合には「摂取塩分量が過大」と表示したり、カリウムが１ｇであれば「摂取野菜・果物類の不足」などの指標を合わせて提示することで、食生活改善の必要性の有無を簡便に判断することができる。
【００８８】
図１４は実測データを用いて、尿塩分における一日特定成分摂取量Ｑin（塩分）と換算特定成分排泄量Ｑs（塩分）について、日移動平均日数を１から５日まで行った相関係数算出例である。なお、移動平均日数の１日は移動平均していないことを表している。横軸は摂取日を０日と基準とした時からの排泄経過日数を言い、例えば＋１日は０日目の摂取量と１日後の排泄量との相関である。横軸の＋１日を頂点とし、また移動平均日数と伴に相関係数の向上が明らかである。別の特定成分であるカリウムについての一日カリウム摂取量Ｑinと換算カリウム排泄量Ｑsについては、日移動平均日数は同じ傾向であるが、排泄経過日数は＋２日後と相関性が高い結果が得られている。
【００８９】
図１５は、本発明の実施例として、実測データによる平均換算特定成分排泄量Ｑs（塩分）による平均一日特定成分摂取量Ｑin（塩分）の推定値と実測値の経日変化比較を示す。尚、排泄日は摂取日から＋1日後の場合である。平均一日特定成分摂取量Ｑinは図７の平均換算特定成分排泄量Ｑs（塩分）と平均一日特定成分摂取量Ｑin（塩分）の相関より、以下の「数式９」により算出した。
【００９０】
【数９】
2006178586.tif 000011
図１５から明らかなように、平均一日特定成分摂取量Ｑin（塩分）は推定値と実測値との間は良く追従しており、実際の摂取状況を反映していると言える。
【００９１】
図１６は、本発明の実施例として摂取カロリーと塩分摂取量を制限した時の体重変化の事例を示すグラフである。
性別男性、年齢４２歳、身長１６１ｃｍ、体重６３ｋｇの健康な日本人男性に対して、摂取カロリーを１５００ｋｃａｌと活動代謝は日々デスクワークという負荷を加え、摂取塩分量を６ｇ→１０ｇ→６ｇと変化させたときの事例である。この方の基礎代謝量は１４５０ｋｃａｌ、活動代謝量は４３５ｋｃａｌと推定されるため、摂取カロリーを１５００ｋｃａｌに制限した場合、体重は減少するはずてある。従来の一般的にな考え方では、体重は一様に変化するはずであるが、摂取塩分量を増やすと体重減少が止まることが確認された。同時に尿量が減少することが確認されており、塩分摂取量を増やすと体液全体濃度を一定するために尿量が減り、見かけ上、体重減少が止まったものと推定することができる。本発明はここに着目したもので、塩分摂取量が多い時には塩分摂取量制限の必要性を開示することで、摂取カロリーを制限しているのに体重が減らないという疑念を無くし、ダイエットの成功を促すものである。なお、図１１から図１４で示した方法で推定した起床時尿（朝一番尿）のみによる推定塩分摂取量と、実際の塩分摂取量を同じグラフに重ねているが、変動に追従して推定できることが確認できる。
【００９２】
図１７は、本発明の実施例を示す概念図である。
ダイエット・体重削減をしたいと考えた人は、一般的な摂取カロリーの制限と消費カロリーの増加を行う。併せて本発明の健康管理装置で摂取塩分量を推定し、摂取塩分量が適切であるかどうかを確認しながら日々の食事を行うことになる。本発明では経時的な体重減少効果を確認するのに併せて、具体的な食事の実現方法に特徴がある。第一の実施例は、塩分摂取量推定値のレベルに対比して摂取量制限の必要性をガイドするものである。現在の平均的な日本人は１日に１３．５ｇの塩分を摂取しているといわれているが、ダイエット効果を期待する場合は１日に５ｇ程度の塩分摂取量にすることが推奨される。摂取塩分量に対して、５ｇ以下なら至適、５〜７ｇなら適量、７〜１０ｇならもう少し薄味にトライ、および１０ｇ以上なら味付けが濃すぎであることを、アドバイス情報記憶手段に格納し、比較手段の結果により、アドバイス情報制御手段が読み出し、表示手段を利用して使用者にガイドする。第二の実施例は、食事のレシピを開示するものである。塩分量を制限した場合、調理の味付けには辛味・酸味・香味などがおいしいと感じるためには必要である。よってどのような調理が推奨されるかを調理者に示すものである。なお、前述の摂取塩分量に対するガイドメッセージも同じであるが、健康管理装置の記憶手段に入る容量には限界があるため、その拡充性に着目してインターネットなどに接続可能として各種情報をダウンロード可能とする方法も考えられる。第３の実施例は、完成食材を提供するものである。ダイエット効果を期待した場合、当然、摂取カロリーの制限も不可欠である。正確なカロリー計算には専門知識が不可欠であるため、完成食の提供業者とインターネットなどの情報伝送媒体で接続し、必要に応じた食事の手配を本健康管理装置から実施できるようにしている。なお健康管理装置は本トイレ装置で完結してもよいが、他の体重計・体脂肪計・血圧計などの生体情報測定装置と情報伝送可能となったパーソナルコンピューターを含めたシステムであってもよい。
【００９３】
図１８は、本発明の実施例を示すフローチャート（１）である。
Ｓ１００ステップは本健康管理装置を使用して、ダイエットしたいと決断するステップである。Ｓ１０１は現状値として、最初の体重を測定するステップである。Ｓ１０２ステップはダイエット計画を確認するステップである。ダイエットのためには身長・体重・年齢・性別・活動レベルなどの個人情報に対比する摂取カロリー量と運動カロリー量の設定、および、目標とする体重に減少させるまでの明確なビジョンを立てることが効果的である。過度なダイエットはリバウンドを生むことがあるため、適度なダイエット計画としなければならない。また、この計画は本人が行うだけでなく、家庭の主婦が管理対象として夫のダイエットを管理することも想定している。Ｓ１０３は前記情報から個人情報に対比する摂取カロリー量と運動カロリー量を演算するステップである。Ｓ１０４は経時的な体重減少目標をグラフで示すステップで、例えば海水浴に行く予定など、ダイエットを思い立った事象を明確に記憶することが推奨される。Ｓ１０５はこの計画を完遂することを再認識するステップである。次いで、Ｓ１０６ステップで消費カロリー実現のための運動方法例を開示し、Ｓ１０７ステップで食事方法としてガイド食事メニューを開示する。一般的に摂取カロリーは普段食べているものより大幅に少なくなることが多いため、その実現には配慮が必要である。Ｓ１０８は食事管理の実施方法を自分で行うか、業者を活用するかを確認するステップである。使用者本人だけで実現することを選定した場合、Ｓ１０９で希望のメニューを選定する。例えば和食を選定したとすると、所定の分野に記憶されている情報から選定されたレシピがＳ１１０ステップで開示される。レシピ情報は記憶されたものだけでなく、インターネット等でダウンロードされてくる情報であってもよい。Ｓ２００は食事の提供を業者に発注することを選定した場合に、メニュー欄の中から発注業者を選定するステップである。Ｓ２０１ステップで課金を含めた発注処理を実施する。Ｓ１１１は塩分摂取量を設定するステップで、デフォルト値としては７ｇ、大きなダイエット効果を期待する時には５ｇを設定する。Ｓ１１２は食事・運動など日々の生活を行うステップである。Ｓ１１３は就寝前に排尿して、就寝時刻を記憶するステップである。摂取塩分量の推定のためには起床時（朝一番）尿の塩分濃度測定結果と併せて、安静であったと推定される睡眠時間が不可欠である。排尿後、Ｓ１１４ステップで就寝に入る。
【００９４】
図１９は、本発明の実施例を示すフローチャート（２）である。
Ｓ１１５はダイエット者が起床するステップである。Ｓ１１６ステップで起床時（朝一番）尿の塩分濃度測定結果と、睡眠時間を認識する。Ｓ１１７ステップは排尿・排便後に体重を測定するステップで、変動要因が少ないため安定した測定が実施できる。体重の測定値としては手動で操作・表示部より入力してもよいが、自動で測定情報が伝送されるものであると入力の手間が少なくてよい。Ｓ１１８は体重の減少具合・ダイエットの進捗具合を目標と比較するステップである。Ｓ１１９ステップで目標達成が確認されると、Ｓ３００ステップでダイエット計画は完了する。Ｓ１２０からＳ１２２は器具が測定動作を実施するステップで、Ｓ１２０は尿中の塩分濃度測定、Ｓ１２１は尿量測定、Ｓ１２１は実演分排泄量を演算するステップである。Ｓ１２３からＳ１２５は器具が塩分摂取量を推定するステップで、Ｓ１２３で演算した就寝（睡眠）時間と、Ｓ１２４で演算した８時間当量値から、Ｓ１２５で１日当たりの摂取塩分量が推定演算される。Ｓ１２６は推定された摂取塩分量と摂取塩分量設定値との差を比較演算するステップである。Ｓ１２７は管理者かどうかを確認するステップで、対象者自身が管理を行わない場合はＳ１１２に戻って再び日々の生活を送ることになる。本人が管理を行う場合、または管理者がＳ４００ステップでデータ確認をスタートし、かつ管理者であることがＳ４０１で入力された場合、Ｓ１２８でダイエット状態が確認される。予定通りである場合はＳ１５０ステップで予定通りであることを開示するが、予定未達である場合はＳ１２９ステップに移行する。
【００９５】
図２０は、本発明の実施例を示すフローチャート（３）である。
Ｓ１２９はダイエットの未達を開示し、Ｓ１３０で食事・運動を改善しなければならないことを開示する。Ｓ１３１ステップは摂取塩分量を確認するステップで、塩分量が適量である場合はＳ１２９およびＳ１３０の内容を実践すべくＳ１１２ステップに移行する。塩分摂取量が多い場合、体内の水分が排泄されずに体重が上昇することが考えられるため、Ｓ１３２ステップでダイエット不良の恐れを開示する。次いでペナルティーとして、摂取塩分量を行くらに下げるかという演算をＳ１３３、それを何日続けるかをＳ１３４ステップで演算する。例えば目標塩分摂取量７ｇを５ｇに下げて、２日間それを続けることを演算する。Ｓ１３５は実践方法を確認するステップで、自分自身で食事を作る場合はＳ１３６でメニュー分野の確認と、Ｓ１３７でレシピが開示される。業者に発注する場合は、Ｓ２０２で業者を選定し、Ｓ２０３で課金を含めた発注処理が行われる。Ｓ１３７とＳ２０３を実践するＳ１１２ステップに移行する。
【００９６】
Ｓ１５０で予定通りであった場合、Ｓ１５１ステップで摂取塩分量を確認する。塩分量が適量である場合は、摂食・運動ともに良好であるため、同様の食事と運動を実践すべくＳ１１２ステップに移行する。塩分摂取量が多い場合、今回は体重が減少していても、明日・明後日にダイエットが止まる恐れがある。体内の水分が排泄されずに体重が上昇することが考えられるため、Ｓ１５２ステップでダイエット不良の恐れを開示する。次いでペナルティーとして、摂取塩分量を行くらに下げるかという演算をＳ１５３、それを何日続けるかをＳ１５４ステップで演算する。例えば目標塩分摂取量７ｇを５ｇに下げて、２日間それを続けることを演算する。Ｓ１５５は実践方法を確認するステップで、自分自身で食事を作る場合はＳ１５６でメニュー分野の確認と、Ｓ１５７でレシピが開示される。業者に発注する場合は、Ｓ２０４で業者を選定し、Ｓ２０５で課金を含めた発注処理が行われる。Ｓ１５７とＳ２０５を実践するＳ１１２ステップに移行する。
【産業上の利用可能性】
【００９７】
本発明は摂取カロリーと消費カロリーに着目されていたダイエットの実践に対して、体液量の概念を組み合わせることによって、より効率的で日々の効果を確認できる方法を示すものである。上述の例は家庭に健康管理装置を導入した事例で示したが、例えば食事と運動を共に供給できるようなフィットネスクラブや健康管理センターなどが本計画実施の母体となったり、食材提供業者の新たなサービスメニューとすることも考えられる。特に本例では家庭で使用されることを想定して、起床（朝一番）時尿で１日の塩分摂取量を推定しようとしたが、フィットネスクラブや健康管理センターなどの施設で実施される場合は、排尿時刻に合わせて適宜推定式を見直しすればよい。
【図面の簡単な説明】
【００９８】
【図１】本発明の健康管理装置のブロック図である。
【図２】本発明を実施した卓上タイプ健康管理装置の実施例を示す斜視図である。
【図３】本発明を実施した卓上タイプ健康管理装置の操作表示部の実施例を示す平面図である。
【図４】本発明を組み込んだ健康管理装置の実施例を示す斜視図である。
【図５】本発明の健康管理装置全体の実施例を示す断面図である。
【図６】本発明の健康管理装置の大便器部の断面図である。
【図７】本発明の第１実施形態による大便器ユニットの作用を時系列で表すグラフである。
【図８】本実施形態の大便器ユニットを排尿情報測定ではなく、大便の用途で使用する場合の作用を時系列で表すグラフである。
【図９】ボール面の水位と、ボール面内に溜まっている溜水量の関係の一例を示すグラフである。
【図１０】溜水水位と下水配管内の圧力変動の影響を説明する図である。
【図１１】本発明の成分摂取量測定装置の構成を示すためのフロー図である。
【図１２】本発明の成分摂取量測定装置の構成を示すためのフロー図である。
【図１３】本発明の日移動平均処理について３日間の場合を示す説明図である。
【図１４】実測データを用いて、尿塩分における一日特定成分摂取量Ｑin（塩分）と換算特定成分排泄量Ｑs（塩分）について、日移動平均日数を１から５日まで行った相関係数算出例である。
【図１５】本発明の実施例として、実測データによる平均換算特定成分排泄量Ｑs（塩分）による平均一日特定成分摂取量Ｑin（塩分）の推定値と実測値の経日変化比較を示すグラフである。
【図１６】本発明の実施例として摂取カロリーと塩分摂取量を制限した時の体重変化の事例を示すグラフである。
【図１７】本発明の実施例を示す概念図である。
【図１８】本発明の実施例を示すフローチャート（１）である。
【図１９】本発明の実施例を示すフローチャート（２）である。
【図２０】本発明の実施例を示すフローチャート（３）である。
【符号の説明】
【００９９】
１…大便器ユニット
２…便座装置本体
３…機構ユニットキャビネット
３−１…機能部
４…尿成分測定部
５…制御部
６…採尿装置
７…ゼットノズル
８…リム吐水ノズル
９…水路切替手段
１１…洋風大便器
１２…ボール面
１３…溜水
１４…リム面
１５…トラップ部
１６…排水ソケット
２１…便座
２２…便ふた
２４…貯水タンク
２４ａ…洗浄用タンク
２４ｂ…溜水タンク
２４ｃ…給水管
２４ｄ…流出管
２４ｅ…オーバーフロー管
２４ｆ…流出管
２５…トラップ管
２６…第４開閉弁
２８…開閉手段
２９…分岐路
３０…第１開閉弁
３２…第２開閉弁
３４…第３開閉弁
３６…ポンプ
３９…成分摂取量測定装置
４０…尿量算出手段
４２…導圧路
４３…圧力センサー
５０…遠隔操作装置
５１…衛生洗浄装置リモコン
５２…尿成分測定部リモコン
５３…プリンター
６０…採尿ユニット
６１…採尿器
６２…採尿アーム
１００…受尿容器
１０１…本体
１０２…センシング手段
１０４…尿
１０５…操作・表示部
１０６…表示部
１０７…時刻合せ部
１０８…入力スイッチ
１０９…入力スイッチ
１１０…睡眠時間入力部
Ｄ…下水配管
Ｈ…溢流水位
Ｘ…空水位
Ｙ…スタート水位
Ｚ…排尿後水位
Ｃi…就寝時間中に排尿回数がｎ回ある場合のｉ回目就寝時間中の特定成分濃度
Ｃw…起床後排尿した時の特定成分濃度
ｎ…就寝時間中の排尿回数
Ｑ…就寝時間中の排尿回数がｎ回ある場合のｉ回目就寝時間中の特定成分排泄量
Ｑin…一日特定成分摂取量
Ｑin…平均一日特定成分摂取量
Ｑout…一日特定成分排泄量
Ｑout…平均一日特定成分排泄量
Ｑs…換算特定成分排泄量
Ｑs…平均換算特定成分排泄量
Ｑt…加算特定成分排泄量
Ｑt…未加算特定成分排泄量
Ｑw…起床後特定成分排泄量
ｔw…経過時間
ｔs…規定時間
Ｖi…就寝時間中に排尿回数がｎ回ある場合のｉ回目就寝時間中の尿量
Ｖw…起床後排尿した時の尿量
【図１】
2006178586.tif 000012
【図２】
2006178586.tif 000013
【図３】
2006178586.tif 000014
【図４】
2006178586.tif 000015
【図５】
2006178586.tif 000016
【図６】
2006178586.tif 000017
【図７】
2006178586.tif 000018
【図８】
2006178586.tif 000019
【図９】
2006178586.tif 000020
【図１０】
2006178586.tif 000021
【図１１】
2006178586.tif 000022
【図１２】
2006178586.tif 000023
【図１３】
2006178586.tif 000024
【図１４】
2006178586.tif 000025
【図１５】
2006178586.tif 000026
【図１６】
2006178586.tif 000027
【図１７】
2006178586.tif 000028
【図１８】
2006178586.tif 000029
【図１９】
2006178586.tif 000030
【図２０】
2006178586.tif 000031